(57)【特許請求の範囲】
【請求項１】
開口窓を開閉自在に覆うルーバーを備える電気機器収納用箱であって、
該ルーバーは、全開状態において鏡面配置となる同一形状の第１ルーバーと第２ルーバーを、スライド自在に重ねて構成され、
第１ルーバーと第２ルーバーは、各々、側枠と、該側枠に所定間隔で複数渡した長尺板形状の塞ぎ板と、該塞ぎ板間に形成される複数の帯状開口部を有し、
該塞ぎ板は、側枠に連設した帯状開口部と同一幅、あるいは、帯状開口部より広幅に形成した塞ぎ部と、該塞ぎ部の一端部を折り曲げ形成した折り曲げ部を有し、
該第１ルーバーの塞ぎ部が該第２ルーバーの帯状開口部に重なる閉状態において、該帯状開口部が隙間なく該塞ぎ部に覆われるように形成し、電気機器収納用箱の内部を視認不可能に被覆し、
該第１ルーバーと該第２ルーバーの帯状開口部が重なる開状態において、鏡面配置された該第１ルーバーと該第２ルーバーの折り曲げ部が、該帯状開口部を斜め方向から電気機器収納用箱の内部を視認不可能に被覆する
ことを特徴とする電気機器収納用箱のルーバー構造
【請求項２】
該塞ぎ部の板面が、開口窓と並行配置されていることを特徴とする請求項１記載の電気機器収納用箱のルーバー構造
【請求項３】
隣接配置されて帯状開口部を形成する２枚の塞ぎ板間において、該帯状開口部を被覆する折り曲げ部の先端部が、他方の塞ぎ部の先端部と床面から同一高さ、あるいは、該折り曲げ部の先端部が、該帯状開口部を超えて他方の塞ぎ部の先端部までも被覆するように配置されていることを特徴とする請求項２記載の電気機器収納用箱のルーバー構造
【請求項４】
開口窓を開閉自在に覆うルーバーを備える電気機器収納用箱であって、
該ルーバーは、全開状態において鏡面配置となる同一形状の第１ルーバーと第２ルーバーを、スライド自在に重ねて構成され、
第１ルーバーと第２ルーバーは、各々、側枠と、該側枠に所定間隔で複数渡した長尺板形状の塞ぎ板と、該塞ぎ板間に形成される複数の帯状開口部を有し、
該塞ぎ板は、側枠に連設した帯状開口部と同一幅、あるいは、帯状開口部より広幅に形成した塞ぎ部と、該塞ぎ部の一端部を折り曲げ形成した折り曲げ部を有し、
該第１ルーバーの塞ぎ部が該第２ルーバーの帯状開口部に重なる閉状態において、該帯状開口部が隙間なく該塞ぎ部に覆われるように形成し、電気機器収納用箱の内部を視認不可能に被覆し、
第１ルーバーと第２ルーバーの帯状開口部が重なる開状態において、第１ルーバーのみで電気機器収納用箱の内部を視認不可能に被覆することを特徴とする電気機器収納用箱のルーバー構造。
【発明の詳細な説明】
【技術分野】
【０００１】
本発明は、換気用のルーバーを備えた電気機器収納用箱に関するものである。
【背景技術】
【０００２】
電気機器収納用箱の内部に収納した機器からの放熱による内部温度上昇を抑制するために、従来から、電気機器収納用箱の壁面にルーバーを設けて換気を促す構造が採用されている（特許文献１）。
【０００３】
従来、電気機器収納用箱の壁面に設けられたルーバーは常時開口構造を有しており、内部温度が上昇しておらず換気を要しない場合には不都合であった。また、データセンタ等のサーバールーム将来の増設のために内部機器のない空間部分が残されている場合がある。このような未実装部分ではキャビネットの前面から吸引された冷気が加熱されることなくそのまま背面側に逃げてしまうこととなる。しかも未実装部分ではキャビネット内部の流動抵抗も小さいことから、実装部分よりも大量の冷気が流出することとなり、冷却効率の低下を招くこととなる。
【０００４】
開閉機構を備えるルーバー構造として、家屋の窓部に設けるルーバー装置であって、平板２枚に各々長尺帯状の開口を複数併設させてルーバーとなし、この２枚のルーバーをスライド可能に重ねて配置し、スライドさせることで開口面積を調整する技術が開示されている（特許文献２）。
【０００５】
しかし、特許文献２に記載のルーバー構造を電気機器収納用箱に採用した場合、開状態においては、開口部から電気機器収納用箱の内部が視認可能となり、内部の秘匿性が確保できず好ましくないという問題があった。
【先行技術文献】
【特許文献】
【０００６】
【特許文献１】特開平１０−２２４０４９号公報
【特許文献２】特開２００２−０９７８６７号公報
【発明の概要】
【発明が解決しようとする課題】
【０００７】
本発明の目的は前記の問題を解決し、各々開口部を形成した２枚のルーバーをスライドさせて開口部の開閉を自在に行うことができる開閉式ルーバー構造を備え、かつ、開閉式ルーバー構造を開状態とした際にも、開口部から電気機器収納用箱の内部が視認できず、常時内部の秘匿性を確保可能とした電気機器収納用箱を提供することである。
【課題を解決するための手段】
【０００８】
上記課題を解決するためになされた本発明の電気機器収納用箱のルーバー構造は、開口窓を開閉自在に覆うルーバーを備える電気機器収納用箱であって、該ルーバーは、全開状態において鏡面配置となる同一形状の第１ルーバーと第２ルーバーを、スライド自在に重ねて構成され、第１ルーバーと第２ルーバーは、各々、側枠と、該側枠に所定間隔で複数渡した長尺板形状の塞ぎ板と、該塞ぎ板間に形成される複数の帯状開口部を有し、該塞ぎ板は、側枠に連設した帯状開口部と同一幅、あるいは、帯状開口部より広幅に形成した塞ぎ部と、該塞ぎ部の一端部を折り曲げ形成した折り曲げ部を有し、該第１ルーバーの塞ぎ部が該第２ルーバーの帯状開口部に重なる閉状態において、該帯状開口部が隙間なく該塞ぎ部に覆われるように形成し、電気機器収納用箱の内部を視認不可能に被覆し、該第１ルーバーと該第２ルーバーの帯状開口部が重なる開状態において、鏡面配置された該第１ルーバーと該第２ルーバーの折り曲げ部が、該帯状開口部を斜め方向から電気機器収納用箱の内部を視認不可能に被覆することを特徴とするものである。
【０００９】
請求項２記載の発明は、請求項１記載の電気機器収納用箱のルーバー構造において、該塞ぎ部の板面が、開口窓と並行配置されていることを特徴とするものである。
【００１０】
請求項３記載の発明は、請求項２記載の電気機器収納用箱のルーバー構造において、隣接配置されて帯状開口部を形成する２枚の塞ぎ板間において、該帯状開口部を被覆する折り曲げ部の先端部が、他方の塞ぎ部の先端部と床面から同一高さ、あるいは、該折り曲げ部の先端部が、該帯状開口部を超えて他方の塞ぎ部の先端部までも被覆するように配置されていることを特徴とするものである。
【００１１】
請求項４記載の発明は、電気機器収納用箱のルーバー構造であって、該ルーバーは、全開状態において鏡面配置となる同一形状の第１ルーバーと第２ルーバーを、スライド自在に重ねて構成され、第１ルーバーと第２ルーバーは、各々、側枠と、該側枠に所定間隔で複数渡した長尺板形状の塞ぎ板と、該塞ぎ板間に形成される複数の帯状開口部を有し、該塞ぎ板は、側枠に連設した帯状開口部と同一幅、あるいは、帯状開口部より広幅に形成した塞ぎ部と、該塞ぎ部の一端部を折り曲げ形成した折り曲げ部を有し、該第１ルーバーの塞ぎ部が該第２ルーバーの帯状開口部に重なる閉状態において、該帯状開口部が隙間なく該塞ぎ部に覆われるように形成し、電気機器収納用箱の内部を視認不可能に被覆し、第１ルーバーと第２ルーバーの帯状開口部が重なる開状態において、第１ルーバーのみで電気機器収納用箱の内部を視認不可能に被覆することを特徴とするものである。
【発明の効果】
【００１２】
本発明に係る電気機器収納用箱は、正面に開口窓を有する扉と、該扉の裏面に配置され、該開口窓を開閉自在に覆うルーバーを備える電気機器収納用箱であって、該ルーバーは、全開状態において鏡面配置となる同一形状の第１ルーバーと第２ルーバーを、スライド自在に重ねて構成され、第１ルーバーと第２ルーバーは、各々、側枠と、該側枠に所定間隔で複数渡した長尺板形状の塞ぎ板と、該塞ぎ板間に形成される複数の帯状開口部を有するため、ルーバーの簡単なスライド操作のみで、必要に応じて電気機器収納用箱内部の換気を行うことができる。また、該塞ぎ板は、側枠に連設した帯状開口部と同一幅、あるいは、帯状開口部より広幅に形成した塞ぎ部と、該塞ぎ部の一端部を折り曲げ形成した折り曲げ部を有し、該第１ルーバーの塞ぎ部が該第２ルーバーの帯状開口部に重なる閉状態において、該帯状開口部が隙間なく該塞ぎ部に覆われるように形成し、該帯状開口部を正面方向から視認不可能に被覆し、第１ルーバーと第２ルーバーの帯状開口部が重なる開状態において、鏡面配置された第１ルーバーと第２ルーバーの折り曲げ部が、該帯状開口部を斜め方向から電気機器収納用箱の内部を視認不可能に被覆するため、換気時（帯状開口部が重なる開状態）においても、電気機器収納用箱の内部は視認されず、内部の秘匿性を確保することができる。
【図面の簡単な説明】
【００１３】
【図１】本発明の電気機器収納用箱の扉の正面図である。
【図２】図１の裏面図である。
【図３】図１の分解図である。
【図４】第１ルーバーと第２ルーバーの断面図である。
【図５】他の実施形態における第１ルーバーと第２ルーバーの断面図である。
【図６】他の実施形態における第１ルーバーと第２ルーバーの断面図である。
【図７】他の実施形態における第１ルーバーと第２ルーバーの断面図である。
【発明を実施するための形態】
【００１４】
以下に本発明の好ましい実施形態を示す。
【００１５】
本発明の電気機器収納用箱は、図１に示すような正面に開口窓２を有する扉１を備えている。開口窓２は、セキュリティー対策・デザイン等の必要に応じて、パンチングメタル構造とすることもできる。その他、扉１には開錠用のハンドル４を形成している。
【００１６】
該扉１の裏面には、図２に示すように、該開口窓２を開閉自在に覆うルーバー３が配置されている。該ルーバー３は、図３に示すように、第１ルーバー３１と第２ルーバー３２を、スライド自在に重ねて構成されている。
【００１７】
第１ルーバー３１と第２ルーバー３２は、図３及び図４に示すように、各々、側枠５と、該側枠５に所定間隔で複数渡した長尺板形状の塞ぎ板６と、該塞ぎ板６間に形成される複数の帯状開口部７を有し、該塞ぎ板６は、側枠５に連設した塞ぎ部６１と、該塞ぎ部６１の一端部を斜外方に折り曲げ形成した折り曲げ部６２を有している。
【００１８】
図４に示すように、第１ルーバー３１と第２ルーバー３２は、帯状開口部７が重なる開状態において、鏡面配置となるように同一形状に形成され、第１ルーバー３１と第２ルーバー３２の各々において、電気機器収納用箱の外側正面であるＡ点からは第１ルーバー３１の塞ぎ部６１により電気機器収納用箱の内部を視認不可能に被覆し、Ａ点から下方に視点を移しても、塞ぎ部６１または折り曲げ部６２により視認不可能に形成している。また、Ａ点から上方に視点を移しても上方に形成した塞ぎ板６の折り曲げ部６２により視認不可能となるものである。また、外側正面の斜め下方のＢ点からは第２ルーバー３２の折り曲げ部６２の内側面により電気機器収納用箱の内部を視認不可能に形成している。このように第１ルーバー３１及び第２ルーバー３２は同一形状であるため、わざわざ別部材を用意することなく、開状態においても電気機器収納用箱の内部を視認不可能にしている。ただし、帯状開口部７が開状態となっているので電気機器収納用箱の内部の換気は行うことができる構造となっているものである。
【００１９】
図４の左図に示すように、第１ルーバー３１の塞ぎ部６１が第２ルーバー３２の帯状開口部７に重なる閉状態においては、帯状開口部７が塞がれるため、何れの角度から覗いても、電気機器収納用箱の内部は視認されず、内部の秘匿性を確保することができる。なお、閉状態において、帯状開口部７が隙間なく塞ぎ部６１に覆われるように、塞ぎ部６１は、帯状開口部７と同一幅、あるいは、帯状開口部７より広幅に形成されている。
【００２０】
電気機器収納用箱の内部の換気時には、第１ルーバー３１または第２ルーバー３２の何れかをスライドさせて、図４の右図に示すように、帯状開口部７が重なる開状態とすればよく、当該開状態においても、第２ルーバー３２の折り曲げ部６２が、該帯状開口部７を斜め下方向から視認不可能に被覆しているため、何れの角度から覗いても、電気機器収納用箱の内部は視認されず、内部の秘匿性を確保することができる。スライド手段は特に限定されないが、本実施形態では、図３に示すように、ルーバー３を扉１に固定するために、第１ルーバー３１と第２ルーバー３２の各々の側枠５に形成する固定孔８を、長孔形状とし、開状態とする場合には、第１ルーバー３１と第２ルーバー３２の双方を長孔形状の上側でねじ止めし、閉状態とする場合には、第１ルーバー３１と第２ルーバー３２の何れか一方をスライド移動させた上で、一方を長孔形状の上側でねじ止めし、他方を長孔形状の下側でねじ止めする構造を採用している。
【００２１】
図４に示す実施形態では、帯状開口部７が重なる開状態において、何れの角度から覗いても、電気機器収納用箱の内部は視認されず、内部の秘匿性を確保するために、隣接配置されて帯状開口部７を形成する２枚の塞ぎ板間６において、該帯状開口部７を被覆する折り曲げ部６２の先端部が、他方の塞ぎ部６１の先端部と床面から同一高さ（図４左図の点線位置）になるように配置されている。他の実施形態として図５に示すように、折り曲げ部６２の先端部が、帯状開口部７を超えて他方の塞ぎ部６１の先端部までも被覆するように配置してもよい。なお、図５の実施例においては、開状態においても正面からの視認を行いにくくするために塞ぎ板６の折り曲げ部６２の先端部を垂直下方向に折り曲げ形成した垂下辺６３を有している構造としているものである。
【００２２】
（他の実施形態）
図４および図５に示す実施形態においては、塞ぎ部６１の板面を、開口窓２と並行配置し、塞ぎ部６１の下部を折り曲げて折り曲げ部６２形成しているが、本実施形態には限定されず、図６に示すように、塞ぎ部６１の上部を折り曲げて折り曲げ部６２形成してもよい。また、本実施形態において塞ぎ板６は上下にスライドするような構造について記載したが、上下にスライドするものに限定するものではなく、塞ぎ板６の塞ぎ部６１の頂点が扉１のハンドル４方向に向けるような構造にしても良い。その場合、塞ぎ板は左右にスライドするように形成されるものであり、閉状態とする場合には、第１ルーバー３１と第２ルーバー３２の何れか一方をスライド移動させた上で、一方を長孔形状の左側でねじ止めし、他方を長孔形状の右側でねじ止めするように形成されるものである。
【００２３】
また、図４〜図６に示す実施形態においては、塞ぎ部６１の板面を、開口窓２と並行配置しているが、他の実施形態として、図７に示すように、塞ぎ板９の塞ぎ部９１の板面を、扉１と垂直に形成することもできる。
【００２４】
図７に示すように、第１のルーバー３１及び第２のルーバー３２は、所定間隔で複数渡した塞ぎ板９、該塞ぎ板９間に形成される複数の帯状開口部７を有し、塞ぎ板９は、扉１に対して垂直方向に突出するように形成された塞ぎ部９１、塞ぎ部９１の端部を斜外方に折り曲げ形成した折り曲げ部９２を有している。塞ぎ部９１の厚さtが帯状開口部７と同一幅、あるいは、帯状開口部７より広幅に形成しているものであり、第１のルーバー３１又は第２のルーバー３２をスライドさせた時、ルーバーの塞ぎ部９１が帯状開口部７を覆うように形成してあり、前実施例と同様に第１のルーバー３１と第２のルーバー３２によって開状態、閉状態を形成するものである。
【００２５】
以下に、第１のルーバー３１において、上下に位置する塞ぎ板の関連性について示す。上方に位置する塞ぎ板９ａの折り曲げ部９２の下端部となるａ点と塞ぎ部９１の第２のルーバー３２側の下端部ｂ点を結ぶ線上に、下方に位置する塞ぎ板９ｂの塞ぎ部９１と折り曲げ部９２の接続部の上端部ｃ点が形成される。
【００２６】
このような構成にすることによって、第１のルーバー３１の正面となるＣ点からは上方に位置する塞ぎ板９ａの折り曲げ部９２により電気機器収納用箱の内部を視認不可能にし、斜め下方となるＤ点からは上方に位置する塞ぎ板９ａの塞ぎ部９１により視認不可能に形成している。斜め下方からの角度を変えたＥ点からは下方に位置する塞ぎ板９ｂのｃ点により電気機器収納用箱の内部を視認不可能に形成している。つまり、第１ルーバー３１のみで電気機器収納用箱の内部を視認不可能に形成し、内部の秘匿性を確保できるものである。
【００２７】
なお、上記説明の他に、上方に位置する塞ぎ板９ａと下方に位置する塞ぎ板９ｂの距離が狭まる場合など、上方に位置する塞ぎ板９ａのａ点とｂ点を結ぶ線上より内側に、下方に位置する塞ぎ板９ｂを形成することにより視認範囲が狭まるため、内部の秘匿性を高めることが可能である。上方に位置する塞ぎ板９ａと下方に位置する塞ぎ板９ｂの距離が広がる場合など、上方に位置する塞ぎ板９ａのａ点とｂ点を結ぶ線上より外側に下方に位置する塞ぎ板９ｂのｃ点を形成した場合においては、前実施例と同様に斜め方向から確認した場合においては第２ルーバー３２において視認不可能にすることが可能である。
【符号の説明】
【００２８】
１  扉
２  開口窓
３  ルーバー
３１  第１ルーバー
３２  第２ルーバー
４  ハンドル
５  側枠
６  塞ぎ板
６１  塞ぎ部
６２  折り曲げ部
６３  垂下辺
７  帯状開口部
８  固定孔
９  塞ぎ板
９１  塞ぎ部
９２  折り曲げ部
【図１】
0005601690.tif 000002
【図２】
0005601690.tif 000003
【図３】
0005601690.tif 000004
【図４】
0005601690.tif 000005
【図５】
0005601690.tif 000006
【図６】
0005601690.tif 000007
【図７】
0005601690.tif 000008